(57)【特許請求の範囲】
【請求項１】
長尺状の筒状体に形成された屈曲状スリットによって、前記筒状体の周方向の正方向に向かった第１フックと逆方向に向かった第２フックが長手方向に沿って併設され、前記第１フックと第２フックを缶容器に取り付けられた金属製の線条材からなる環状取手に互い違いの方向から係合させて前記缶容器を吊り下げて持ち上げる缶容器持上具であって、
前記屈曲状スリットは、取手着脱用スリット部と、該取手着脱用スリット部の一端に連続して第１フックを形成する第１スリット部と、前記取手着脱用スリット部の他端に連続して第２フックを形成する第２スリット部からなることを特徴とする缶容器持上具。
【請求項２】
前記取手着脱用スリット部は、前記筒状体の長手方向と交差する方向に形成されてなることを特徴とする請求項１記載の缶容器持上具。
【請求項３】
前記取手着脱用スリット部は、前記筒状体の長手方向と斜交または直交する方向に形成されてなることを特徴とする請求項２記載の缶容器持上具。
【請求項４】
前記屈曲状スリットは、Ｓ字状または逆Ｓ字状に形成されていることを特徴とする請求項１、２または３記載の缶容器持上具。
【請求項５】
前記筒状体に、前記第１スリット部が、前記取手着脱用スリット部の一端から連続して前記筒状体の長手方向から周方向へ曲がり、前記第２フックの先端から前記筒状体の長手方向に延長された延長線上に達しない先端を有する鉤形に形成され、
前記第２スリット部が、前記取手着脱用スリット部の他端から連続して前記筒状体の長手方向から周方向へ曲がり、前記第１フックの先端から前記筒状体の長手方向に延長された延長線上に達しない先端を有する鉤形に形成されてなることを特徴とする請求項１、２、３または４記載の缶容器持上具。
【請求項６】
前記筒状体の長手方向の中間部分に前記屈曲状スリットが形成され、該屈曲状スリットの外側部分がそれぞれ握り部とされていることを特徴とする請求項１、２、３、４または５記載の缶容器持上具。
【請求項７】
前記筒状体が金属パイプであることを特徴とする請求項１、２、３、４、５または６記載の缶容器持上具。
【発明の詳細な説明】
【技術分野】
【０００１】
この発明は、缶容器を持ち上げたりする際に使用する缶容器持上具に関するものである。さらに詳しくは、この発明は、１８リットル缶、ペール缶等の金属製の缶容器を持ち上げたりする際に使用する缶容器持上具に関するものである。
【背景技術】
【０００２】
従来より、一斗缶（以下、１８リットル缶という。）等の缶容器は、塗料、薬品、食品等各種の内容物を収容するための缶容器として幅広く使用されている。これらの缶容器には、通常、取手が取り付けられており、これを利用して持ち上げて、搬送したり、内容物を移し替えたりしている。１８リットル缶を例に説明すると、図１３に示すように、天板Ｋａに針金に例示される金属製の線条材を逆台形状に折り曲げてなる環状取手Ｔが取り付けられている。そして、使用に際し、環状取手Ｔの直線状の把持部Ｔａを握り、缶容器Ｋを持ち上げて、搬送したり、内容物を移し替えたりする。しかしながら、取手Ｔは、片手がやっと入る程度の形状、サイズでしかないことから、使い勝手が悪い。また、取手Ｔの径が細いことから、缶容器Ｋを持ち上げて、搬送したり、内容物の移し替え作業すると、１８リットルの内容物の重さが、片手の指の狭い範囲にかかり、すぐに指が痛くなり、作業に支障が生ずる。作業を続けると、手、指等に無理がかかり手指の筋肉、関節等を痛めたり、障害を引き起こすことにもなる。把持部Ｔａにタオル等を巻くことも考えられるが、そうすると、益々手が入りにくくなり、操作に支障を来す。
【０００３】
一斗缶提げ具として、棒部材の両端で一斗缶を挟持するようにしたものが知られている（特許文献１参照）。
特許文献１に記載の一斗缶提げ具は、天板を切り抜いて上方を開口させた一斗缶の対角位置を挟持し、棒部材の中央箇所を手で持って缶容器を持ち上げて、搬送したり、内容物を移し替えたりするのに使用する補助具の一種である。この一斗缶提げ具を使用するには、先ず、一斗缶の天板を切り抜く加工作業が必要であり、面倒である。次いで、一斗缶提げ具に設けられた内方支持部材である受け金と外方支持部材である蝶ネジとで一斗缶を挟持する作業をすることになるが、その作業も面倒であり、また、確実に挟持しないと一斗缶が落下する恐れがある。また、一斗缶提げ具では、一斗缶の上方が開口していることから、この一斗缶提げ具を取り付けて使用する際、一斗缶の開口部から内容物がこぼれ落ちたりしないよう注意して作業することが必要であって、煩雑であり、作業効率が低く、使い勝手が悪い。そして、内容物が有機溶剤等の有害な物質を含む場合は、手に付いたり、吸い込んだりしないようにすることが必要となるが、作業姿勢等の関係から、困難である。図１３に示す１８リットル缶では、キャップが使用可能であることから、内容物を使い残しても、キャップをすれば、内容物を保存することができるが、一斗缶提げ具を取り付けた一斗缶では、天板を切り抜いていることから、蓋をすることができず、内容物を使い切るか別の容器に移し替えることが必要であり、内容物を入れたままとすることは好ましくない。
【先行技術文献】
【特許文献】
【０００４】
【特許文献１】特開２００２−２９３４１８号公報
【発明の概要】
【発明が解決しようとする課題】
【０００５】
この発明は、上記のような実情に鑑み鋭意研究の結果創案されたものであり、１８リットル缶に例示される缶容器を持ち上げて、搬送したり、内容物を移し替えたりする作業に際し、缶容器の天板を切り取ったりするような加工を施すことなく、缶容器の持ち上げ、搬送、内容物の移し替えを簡便、確実、安全に行うことができ、作業者に過度の負担を強いることがなく、手、指を痛めたりすることがなく、安価な缶容器持上具を提供することを提供することを目的としている。
【課題を解決するための手段】
【０００６】
上記課題を解決するために、この発明は、（１）；長尺状の筒状体に形成された屈曲状スリットによって、前記筒状体の周方向の正方向に向かった第１フックと逆方向に向かった第２フックが長手方向に沿って併設され、前記第１フックと第２フックを缶容器に取り付けられた金属製の線条材からなる環状取手に互い違いの方向から係合させて前記缶容器を吊り下げて持ち上げる缶容器持上具であって、前記屈曲状スリットは、取手着脱用スリット部と、該取手着脱用スリット部の一端に連続して第１フックを形成する第１スリット部と、前記取手着脱用スリット部の他端に連続して第２フックを形成する第２スリット部からなることを特徴とする。
（２）；前記（１）において、前記取手着脱用スリット部は、前記筒状体の長手方向と交差する方向に形成されてなることが好ましい。
（３）；前記（２）において、前記取手着脱用スリット部は、前記筒状体の長手方向と斜交または直交する方向に形成されてなることが好ましい。
（４）；前記（１）、（２）または（３）において、前記屈曲状スリットは、Ｓ字状または逆Ｓ字状に形成されていることが好ましい。
（５）；前記（１）、（２）、（３）または（４）において、前記筒状体に、前記第１スリット部が、前記取手着脱用スリット部の一端から連続して前記筒状体の長手方向から周方向へ曲がり、前記第２フックの先端から前記筒状体の長手方向に延長された延長線上に達しない先端を有する鉤形に形成され、前記第２スリット部が、前記取手着脱用スリット部の他端から連続して前記筒状体の長手方向から周方向へ曲がり、前記第１フックの先端から前記筒状体の長手方向に延長された延長線上に達しない先端を有する鉤形に形成されてなることが好ましい。
（６）；前記（１）、（２）、（３）、（４）または（５）において、前記筒状体の長手方向の中間部分に前記屈曲状スリットが形成され、該屈曲状スリットの外側部分がそれぞれ握り部とされていることが好ましい。
（７）；前記（１）、（２）、（３）、（４）、（５）または（６）において、前記筒状体が金属パイプであることが好ましい。
【発明の効果】
【０００７】
この発明は、以上説明したように構成されているので、以下に記載されるような効果を奏する。
すなわち、１８リットル缶に例示される金属製の線条材からなる環状取手を有する缶容器を持ち上げて、搬送したり、内容物を移し替えたりする場合について説明するに、先ず、缶容器の環状取手の把持部の長手方向と、缶容器持上具の取手着脱用スリット部の長手方向とが同じ方向となるように、缶容器持上具の方向を決め、把持部と缶容器持上具の取手着脱用スリット部を向き合わせ、環状取手の把持部が、缶容器持上具の取手着脱用スリット部の最奥（取手着脱用スリット部と第１スリット部との接続箇所、および、取手着脱用スリット部と第２スリット部との接続箇所に相当する。）に突き当たるまで、缶容器持上具を環状取手の把持部に向けて移動させる。
缶容器持上具には、取手着脱用スリット部の一端に連続した第１スリット部と取手着脱用スリット部の他端に連続した第２スリット部が設けられていることから、この状態において、缶容器持上具を、例えば、１８リットル缶の天板と平行な面内で回動させると、環状取手に妨げられることなく缶容器持上具を回動させることができ、これにより、環状取手の把持部が缶容器持上具の内側に取り込まれ、缶容器持上具の第１フックと第２フックを互い違いの方向から環状取手に係合させることができる。このような操作は簡便であり、しかも、確実に行うことができる。
そして、缶容器持上具を介して缶容器を持ち上げて、搬送したり、内容物を移し替えたりする作業を行うことができる。缶容器持上具の第１フックと第２フックを互い違いの方向から環状取手に係合させていることから、缶容器の落下の恐れが低く、安全に、缶容器を持ち上げて、搬送したり、内容物を移し替えたりする作業を行うことができる。そして、缶容器持上具の屈曲状スリットの両外側部分をそれぞれ左右の手で持って缶容器を持ち上げれば、片方の手にかかる荷重が半分となり、また、缶容器持上具の径が缶容器の環状取手と比べて大きいことから、手が痛くなったりすることがなく、作業者への負担等が軽減されることになる。もちろん、片手で缶容器持上具の屈曲状スリットの形成された箇所を掴み、缶容器を持ち上げても、手が痛くなったりすることがない。
そして、缶容器持上具の第１フックと第２フックを互い違いの方向から環状取手に係合させている状態を解除して、缶容器持上具を環状取手から取り外すには、缶容器持上具を缶容器の環状取手に取り付ける操作と逆の操作を行えばよい。
このように、缶容器持上具を缶容器に着脱する操作は、熟練を必要とせず容易に行うことができることになる。
また、缶容器持上具によれば、缶容器を持ち上げて、搬送したりする際は、缶容器のキャップを閉めたままで作業を行うことができ、また、内容物を移し替える際には、キャップを外せばよいことから、内容物が有機溶剤等の有害な物質を含む場合であっても、図１３に示す１８リットル缶と同様に安全であり、また、キャップが使用可能であることから、内容物を使い残しても、キャップをすれば内容物を安全に保存することができることも同様である。つまり、１８リットル缶の天板を切り抜いた先行技術のような欠点がないことになる。
缶容器持上具は、構造が簡単であって、丈夫であり、しかも、安価である。
【図面の簡単な説明】
【０００８】
【図１】この発明の缶容器持上具の一実施の形態を示し、（ａ）は正面図、（ｂ）は背面図、（ｃ）は底面図である。
【図２】図１に示す缶容器持上具の底面側を上にした斜視図である。
【図３】図１に示す缶容器持上具を缶容器の環状取手に取り付ける直前の状態の（ａ）は一部破断正面図、（ｂ）は右側面図である。
【図４】図１に示す缶容器持上具を缶容器の環状取手に取り付ける操作の初期状態の（ａ）は一部破断正面図、（ｂ）は一部破断平面図である。
【図５】図１に示す缶容器持上具を缶容器の環状取手に取り付ける操作の次の状態の一部破断正面図である。
【図６】図１に示す缶容器持上具を缶容器の環状取手に取り付けた状態であって、缶容器を持ち上げる直前の状態の一部破断正面図である。
【図７】図１に示す缶容器持上具を缶容器の環状取手に取り付けた状態において、缶容器を持ち上げた状態の斜視図である。
【図８】図１に示す缶容器持上具を缶容器の環状取手に取り付けた状態において、缶容器を持ち上げた他の状態の斜視図である。
【図９】この発明の缶容器持上具の他の実施の形態を示す底面図である。
【図１０】この発明の缶容器持上具のさらに他の実施の形態を示す底面図である。
【図１１】この発明の缶容器持上具のさらに他の実施の形態を示す底面図である。
【図１２】この発明の缶容器持上具のさらに他の実施の形態を示す底面図である。
【図１３】１８リットル缶の環状取手を直接手で持って持ち上げている状態を示す、従来から行われている缶の持ち上げ作業を示す斜視図である。
【発明を実施するための形態】
【０００９】
以下、図面に基づきこの発明を実施するための形態を更に詳細に説明する。もちろんこの発明は以下の実施の形態によって限定されるものではない。
図１、図２に示されているように、缶容器持上具１は、金属パイプを加工したもので、概略、長尺状の筒状体２の中間部分に形成された屈曲状スリット３によって、筒状体２の周方向の正方向（図２では反時計方向）に向かった第１フック４と逆方向（図２では時計方向）に向かった第２フック５が長手方向に沿って併設されており、屈曲状スリット３は、取手着脱用スリット部３ａと、取手着脱用スリット部３ａの一端に連続して第１フック４を形成する第１スリット部３ｂと、取手着脱用スリット部３ａの他端に連続して第２フック５を形成する第２スリット部３ｃからなっており、屈曲状スリット３を缶容器に取り付けられた金属製の線条材からなる環状取手の把持部が通過できることになり、第１フック４と第２フック５によって環状取手を互い違いの方向から係合させて缶容器を吊り下げて持ち上げることができることになる。
【００１０】
より具体的に説明する。
取手着脱用スリット部３ａは、筒状体２の長手方向と直交する方向（即ち、筒状体２の周方向）に形成されている。
そして、第１スリット部３ｂは、取手着脱用スリット部３ａの一端から連続して筒状体２の長手方向から周方向の時計方向へ曲がり、第２フック５の先端から筒状体２の長手方向に延長された延長線（図示せず）上に達しない先端を有する鉤形に形成され、第２スリット部３ｃは、取手着脱用スリット部３ａの他端から連続して筒状体２の長手方向から周方向の反時計方向へ曲がり、第１フック４の先端から筒状体２の長手方向に延長された延長線上に達しない先端を有する鉤形に形成されている。屈曲状スリット３によって形成された第１フック４と第２フック５は、相似した形状となっている。このように、第１スリット部３ｂの先端位置を、第２フック５の先端から筒状体２の長手方向に延長された延長線上（図示せず）に達しない位置とし、第２スリット部３ｃの先端位置を、第１フック４の先端から筒状体２の長手方向に延長された延長線上（図示せず）に達しない位置としているのは、環状取手の把持部に第１フック４と第２フック５を互い違いの方向から係合させた状態を確実に維持できるようにするためである。例えば、第１スリット部３ｂの先端位置を、第２フック５の先端から筒状体２の長手方向に延長された延長線上と同じまたはそれを越えた位置とし、第２スリット部３ｃの先端位置を、第１フック４の先端から筒状体２の長手方向に延長された延長線上と同じまたはそれを越えた位置とすると、缶容器持上具１が、周方向に回るようなことが起きると、環状取手に第１フック４と第２フック５が互い違いの方向から係合している状態から、第１フック４または第２フック５のいずれかが係合するような状態となり、第１フック４および第２フック５を互い違いの方向から係合させることができなくなり、不安定となる。
【００１１】
筒状体２に形成した屈曲状スリット３によって形成された第１フック４の周方向の外側辺４ａと第２フック５の周方向の外側辺５ａとの間隔Ｌは、環状取手Ｔの直線状の把持部Ｔａの内側の長さＤ（図３（ｂ）参照）を越えないように設定されている。図１（ｃ）において、間隔Ｌは、環状取手Ｔの把持部Ｔａの内側の長さＤと略同一なっている。これによって、後述するように、缶容器持上具１の第１フック４と第２フック５によって互い違いの方向から缶容器の環状取手の把持部を係合させた状態において、第１フック４の周方向の外側辺４ａと第２フック５の周方向の外側辺５ａと環状取手との間のガタが少なくなり、缶容器持上具１が水平でない状態になった場合でも、缶容器が缶容器持上具１の長手方向に滑ってずれたりする距離が僅かであって、不安定とならないようになっている。
屈曲状スリット３の幅Ｗは、環状取手の把持部Ｔａが屈曲状スリット３を通過するのに支障がないように設定されており、通常、環状取手の把持部Ｔａの径より稍幅広に設定されている。
【００１２】
このような形状の屈曲状スリット３は、底面側から、逆Ｓ字状の形状（Ｓ字を裏返した形状）に見えることになる（図２参照）。
【００１３】
そして、筒状体２に形成された屈曲状スリット３の両外側部分のそれぞれが、左右の手による握り部となっている。
【００１４】
次に、図１、図２に示す缶容器持上具１を用いて、１８リットル缶に例示される金属製の線条材からなる環状取手を有する缶容器Ｋ（図７参照）を持ち上げて、搬送したり、内容物を移し替えたりする場合の操作方法について説明する。なお、図３〜図６においては、缶容器の天板は説明の便宜上から断面等として示している。
【００１５】
缶容器Ｋの環状取手の把持部Ｔａの長手方向と、缶容器持上具１の取手着脱用スリット部３ａの長手方向とが同じ方向となるように、缶容器持上具１の方向を決め、把持部Ｔａと缶容器持上具１の取手着脱用スリット部３ａを向き合わせると、図３に示す状態となる。次いで、環状取手の把持部Ｔａの一部（略中央部とすることが好ましい。）が、缶容器持上具１の取手着脱用スリット部３ａの最奥（取手着脱用スリット部３ａと第１スリット部３ｂとの接続箇所、および、取手着脱用スリット部３ａと第２スリット部３ｃとの接続箇所に相当する。）に突き当たるまで、缶容器持上具１を環状取手の把持部Ｔａに向けて下方へ移動させると、図４に示す状態となる。
この状態となると、缶容器持上具１には、取手着脱用スリット部３ａの一端に連続した第１スリット部３ｂと取手着脱用スリット部の他端に連続した第２スリット部３ｃが設けられていることから、環状取手Ｔに妨げられることなく、缶容器持上具１は、缶容器の天板と平行な面内で回動させることができることになる。そこで、缶容器持上具１を、缶容器の天板と平行な面内で９０度回動させると（図４（ｂ）の矢印参照）、環状取手Ｔの把持部Ｔａが缶容器持上具１の内側に取り込まれ、環状取手Ｔを缶容器持上具１の第１フック４と第２フック５によって互い違いの方向から係合する第５図の状態となる。このような状態には、図４（ｂ）に示すように、缶容器持上具１を、矢印の方向に回動させるだけでよく、このような操作は簡便であり、しかも、確実に行うことができる。
図５に示す状態において、缶容器持上具１を上方に移動させると、缶容器Ｋの環状取手Ｔの直線状の把持部Ｔａに、缶容器持上具１の第１フック４と第２フック５を互い違いの方向から係合させた図６に示す状態となる。
【００１６】
そして、缶容器持上具１を介して缶容器Ｋを持ち上げて、搬送したり、内容物を移し替えたりすればよい。缶容器持上具１の第１フック４と第２フック５によって互い違いの方向から環状取手を係合させていることから、缶容器の落下の恐れが低く、安全に、缶容器を持ち上げて、搬送したり、内容物を移し替えたりする作業を確実に行うことができる。
図７に示すように、缶容器持上具１の屈曲状スリット３の両外側部分をそれぞれ左右の手で握り持ち上げれば、缶容器持上具１は、缶容器Ｋの環状取手Ｔと比べ、径が大きいことから、手が痛くなったりすることがなく、しかも、片方の手にかかる荷重が半分となり、作業者への負担等が軽減されることになる。二人で持ち上げてもよいことはいうまでもない。
もちろん、缶容器持上具１は、缶容器Ｋの環状取手Ｔと比べ径が大きいことから、図８示すように、片手で缶容器持上具１の屈曲状スリット３が形成された箇所を掴み缶容器Ｋを持ち上げても、手が痛くなったりすることがない。
【００１７】
この缶容器持上具１は、前述したように、筒状体２に形成した屈曲状スリット３によって形成された第１フック４の周方向の外側辺４ａと第２フック５の周方向の外側辺５ａとの間隔Ｌが、略缶容器の環状取手の把持部の内側の長さＤと略同一となっている。そのため、缶容器持上具１を介して缶容器Ｋを持ち上げた際、缶容器持上具１の第１フック４と第２フック５によって互い違いの方向から缶容器の環状取手Ｔの把持部を係合させた状態において、第１フック４の周方向の外側辺４ａと第２フック５の周方向の外側辺５ａと環状取手Ｔとの間のガタが少なくなり、缶容器持上具１が水平でない状態になった場合でも、缶容器が缶容器持上具１の長手方向に滑ってずれたりする距離が僅かであって、不安定とならないようになっている。もちろん、缶容器持上具１は、筒状体２に形成した屈曲状スリット３によって形成された第１フック４の周方向の外側辺４ａと第２フック５の周方向の外側辺５ａとの間隔Ｌを、缶容器の環状取手の把持部の内側の長さＤより短くしてもよいが、あまり短くすると、缶容器持上具１を介して缶容器Ｋを持ち上げた際、常に水平な状態となるようにうまくコントロールしないと、缶容器Ｋが缶容器持上具１の長手方向にずれたりして、不安定となる恐れが生ずることになる。
【００１８】
缶容器持上具１を用いて、缶容器Ｋを持ち上げて、搬送したりする際、持ち方等によって、缶容器持上具１が周方向に回るようなことが生じたとしても、缶容器持上具１は、第１スリット部３ｂの先端位置を、第２フック５の先端から筒状体２の長手方向に延長された延長線上に達しない位置とし、第２スリット部３ｃの先端位置を、第１フック４の先端から筒状体２の長手方向に延長された延長線上に達しない位置としていることから、環状取手Ｔの把持部Ｔａが第１フック４や第２フック５から外れて、缶容器Ｋが落下するようなことが起きる恐れがない。そのため、安定して、缶容器Ｋの環状取手Ｔの直線状の把持部Ｔａに、缶容器持上具１の第１フック４と第２フック５を互い違いの方向から係合させ続けることができ、安全である。
【００１９】
そして、缶容器持上具１の第１フック４と第２フック５を互い違いの方向から環状取手Ｔに係合させている状態を解除して、缶容器持上具を環状取手から取り外すには、缶容器持上具１を缶容器の環状取手Ｔに取り付ける操作と逆の操作を行えばよい。
このように、缶容器持上具１を缶容器に着脱する操作は、ともに、２回の操作をするだけでよく、その操作も簡便である。
【００２０】
図９に示す缶容器持上具１１は、筒状体１２に形成された屈曲状スリット１３によって併設された第１フック１４の幅と第２フック１５の幅が異なるものである。
この缶容器持上具１１を用いて、１８リットル缶に例示される金属製の線条材からなる環状取手を有する缶容器を持ち上げて、搬送したり、内容物を移し替えたりする場合の操作方法は、図１に示す缶容器持上具１と同様であるから説明は省略する。
【００２１】
図１０に示す缶容器持上具２１は、筒状体２２に形成された屈曲状スリット２３によって併設された第１フック２４と第２フック２５の周方向の外側辺２４ａ、２５ａの長さが異なるものである。
この缶容器持上具２１を用いて、１８リットル缶に例示される金属製の線条材からなる環状取手を有する缶容器を持ち上げて、搬送したり、内容物を移し替えたりする場合の操作方法は、図１に示す缶容器持上具１と同様であるから説明は省略する。
【００２２】
図１１に示す缶容器持上具３１は、屈曲状スリット３３の取手着脱用スリット部３３ａが、筒状体３２の長手方向と斜交している点、従って、屈曲状スリット３３の形状が、図１に示す缶容器持上具１と相違するだけのものである。
この缶容器持上具３１を用いて、１８リットル缶に例示される金属製の線条材からなる環状取手を有する缶容器を持ち上げて、搬送したり、内容物を移し替えたりする場合の操作方法は、図１に示す缶容器持上具１と同様であるから説明は省略する。
【００２３】
缶容器持上具としては、前記したような中間部分に屈曲状スリットが設けられ、その外側が左右の手による握り部となっているものに限られず、図１２に示すような缶容器持上具４１であってもよい。これは、図１に示す缶容器持上具１の筒状体２を短くしたものに相当する。この缶容器持上具４１の筒状体４２に屈曲状スリット４３が設けられており、使用に際しては、屈曲状スリット部分を片手で掴むようにしたものである。
【００２４】
前記した缶容器持上具においては、屈曲状スリットの形状を、底面側から逆Ｓ字状に見えるような形状としているが、これに限られず、底面側からＳ字状に見えるような形状であってもよい。
【００２５】
缶容器持上具の素材としては、金属パイプが好ましいが、これに限られず、プラスチックパイプ等であってもよい。
【符号の説明】
【００２６】
１  缶容器持上具
２  筒状体
３  屈曲状スリット
４  第１フック
５  第２フック
【図１】
0005523911.tif 000002
【図２】
0005523911.tif 000003
【図３】
0005523911.tif 000004
【図４】
0005523911.tif 000005
【図５】
0005523911.tif 000006
【図６】
0005523911.tif 000007
【図７】
0005523911.tif 000008
【図８】
0005523911.tif 000009
【図９】
0005523911.tif 000010
【図１０】
0005523911.tif 000011
【図１１】
0005523911.tif 000012
【図１２】
0005523911.tif 000013
【図１３】
0005523911.tif 000014